(57)【要約】  本発明は、外側コンテナベース（３１）と外側コンテナ壁（３２）とを有する外側コンテナ（３）と、前記外側コンテナ（３）に挿入可能であるとともに前記外側コンテナ（３）から取出可能である内側コンテナ（２）であって、内側コンテナベース（２１）と内側コンテナ壁（２２）とを有する内側コンテナ（２）と、を有する、特に医薬品および／または食品の受動的冷蔵輸送用の輸送コンテナにおいて、貨物（１０）用の前記内側コンテナ（２）は、上方に開放する内側コンテナスペース（２３）を形成し、前記外側コンテナ壁（３２）および前記外側コンテナベース（３１）に沿った隙間（７）が前記内側コンテナ（２）と前記外側コンテナ（３）との間に存在し、少なくとも１つの断熱要素（４）、特に真空断熱パネルが、前記内側コンテナ（２）と前記外側コンテナ（３）、特に前記外側コンテナ壁（３２）との間に配置され、少なくとも１つの取出可能なＰＣＭ要素（５）が、前記内側コンテナ（２）と前記外側コンテナ（３）、特に前記断熱要素（４）との間に配置される、および／または配置可能である輸送コンテナに関する。
2021535047.tif 000002
【特許請求の範囲】
【請求項１】
−外側コンテナベース（３１）と外側コンテナ壁（３２）とを有する外側コンテナ（３）と、
−前記外側コンテナ（３）に挿入可能であるとともに前記外側コンテナ（３）から取出可能である内側コンテナ（２）であって、内側コンテナベース（２１）と内側コンテナ壁（２２）とを有する内側コンテナ（２）と、
を有する、特に医薬品および／または食品の受動的冷蔵輸送用の輸送コンテナにおいて、
前記内側コンテナ（２）は、上方に開放する、貨物（１０）用の内側コンテナスペース（２３）を形成し、
前記外側コンテナ壁（３２）および前記外側コンテナベース（３１）に沿って、隙間（７）が前記内側コンテナ（２）と前記外側コンテナ（３）との間に存在し、
少なくとも１つの断熱要素（４）、特に真空断熱パネルが、前記内側コンテナ（２）と前記外側コンテナ（３）、特に前記外側コンテナ壁（３２）との間に配置され、
少なくとも１つの取出可能なＰＣＭ要素（５）が、前記内側コンテナ（２）と前記外側コンテナ（３）、特に前記断熱要素（４）との間に配置される、および／または配置可能である、
輸送コンテナ。
【請求項２】
−外側コンテナベース（３１）と外側コンテナ壁（３２）とを有する外側コンテナ（３）と、
−前記外側コンテナ（３）に挿入可能であるとともに前記外側コンテナ（３）から取出可能である内側コンテナ（２）であって、内側コンテナベース（２１）と内側コンテナ壁（２２）とを有する内側コンテナ（２）と、
を有する、特に医薬品および／または食品の受動的冷蔵輸送用の輸送コンテナにおいて、
前記内側コンテナ（２）は、上方に開放する、貨物（１０）用の内側コンテナスペース（２３）を形成し、
前記外側コンテナ壁（３２）および前記外側コンテナベース（３１）に沿って、隙間（７）が前記内側コンテナ（２）と前記外側コンテナ（３）との間に存在し、
前記外側コンテナ（３）は、断熱要素（４）であり、または断熱要素（４）を形成し、
少なくとも１つの取出可能なＰＣＭ要素（５）が、前記内側コンテナ（２）と前記外側コンテナ（３）との間に配置される、および／または配置可能である、
輸送コンテナ。
【請求項３】
少なくとも１つの断熱要素（４）は、前記外側コンテナベース（３１）の内側に沿って、および／または前記外側コンテナ壁（３２）の内側に沿って配置される、
請求項１または２に記載の輸送コンテナ。
【請求項４】
取出可能なＰＣＭ要素（５）は、前記内側コンテナベース（２１）と前記外側コンテナベース（３１）との間に配置される、および／または配置可能である、
請求項１乃至３の一項に記載の輸送コンテナ。
【請求項５】
少なくとも２つ、好適には４つの取出可能なＰＣＭ要素（５）が、前記内側コンテナ壁（２２）と前記外側コンテナ壁（３１）との間に配置される、および／または配置可能である、
請求項１乃至４の一項に記載の輸送コンテナ。
【請求項６】
厳密に１つの断熱要素（４）、特に厳密に１つの真空断熱パネルが、前記内側コンテナ（２）と前記外側コンテナ（３）との間に配置され、前記断熱要素（４）は、前記内側コンテナ壁（２２）と前記外側コンテナ壁（３２）との間、ならびに前記内側コンテナベース（２１）と前記外側コンテナベース（３１）との間に延びるとともに、折り曲げられる、および／または曲げられる、
請求項１乃至５の一項に記載の輸送コンテナ。
【請求項７】
前記内側コンテナ（２）は、上縁部（２５）に、前記内側コンテナ壁（２２）を超えて外方に向かう包囲カラー（２６）を有し、
前記輸送コンテナ（１）は、挿入状態において前記内側コンテナ（２）の前記カラー（２６）が当接する内側コンテナ支持体（８）を有する、
請求項１乃至６の一項に記載の輸送コンテナ。
【請求項８】
前記内側コンテナ支持体（８）は、挿入状態において前記内側コンテナ（２）を支持する、
請求項７に記載の輸送コンテナ。
【請求項９】
前記内側コンテナ支持体（８）は、挿入状態において、単数または複数の前記断熱要素（４）および／または単数または複数の前記ＰＣＭ要素（５）上に、および／または前記外側コンテナ壁（３２）上に配置される、
請求項７または８に記載の輸送コンテナ。
【請求項１０】
前記内側コンテナ支持体（８）は、前記内側コンテナ（２）の前記カラー（２６）に固定的に接続する、
請求項７乃至９の一項に記載の輸送コンテナ。
【請求項１１】
前記内側コンテナ支持体（８）は、少なくとも部分的に階段状の断面を有する、
請求項７乃至１０の一項に記載の輸送コンテナ。
【請求項１２】
前記内側コンテナ支持体（８）は、前記外側コンテナ壁（３２）を内側で包囲する、
請求項７乃至１１の一項に記載の輸送コンテナ。
【請求項１３】
前記単数または複数のＰＣＭ要素（５）用の好適には取出可能な位置決め装置（９）が、前記外側コンテナ（３）と前記内側コンテナ（２）との間に、特に前記単数または複数の断熱要素（４）と前記内側コンテナベース（２１）との間に配置される、
請求項１乃至１２の一項に記載の輸送コンテナ。
【請求項１４】
前記輸送コンテナ（１）は、前記輸送コンテナ（１）を閉鎖するためのカバー（６）、特に前記外側コンテナ（３）および前記内側コンテナ（２）を閉鎖するための厳密に１つのカバー（６）を有する、
請求項１乃至１３の一項に記載の輸送コンテナ。
【請求項１５】
前記カバー（６）は、前記輸送コンテナ（１）の閉鎖状態において、前記内側コンテナ（２）の前記内側コンテナ支持体（８）および／または前記カラー（２６）に当接する、
請求項１４に記載の輸送コンテナ。
【請求項１６】
前記カバー（６）は、前記内側コンテナ支持体（８）に相補的な閉鎖装置（６１）を有する、
請求項１５に記載の輸送コンテナ。
【請求項１７】
少なくとも１つの断熱要素（４）、特に真空断熱パネルが、前記カバーに配置される、
請求項１４乃至１６の一項に記載の輸送コンテナ。
【請求項１８】
前記カバー（６）は、断熱要素（４）である、または断熱要素（４）を形成する、
請求項１４乃至１６の一項に記載の輸送コンテナ。
【請求項１９】
前記カバー（６）は、前記内側コンテナ（２）をシール可能である、
請求項１４乃至１８の一項に記載の輸送コンテナ。
【請求項２０】
前記位置決め装置（９）、および／または前記内側コンテナ支持体（８）、および／または前記カバー（６）、および／または前記カバー（６）の前記閉鎖装置（６１）は、発泡ポリプロピレン（ＥＰＰ）、発泡ポリスチレン（ＥＰＳ）、押出ポリスチレン（ＸＰＳ）、またはポリウレタン（ＰＵＲ）で構成される、または発泡ポリプロピレン（ＥＰＰ）、発泡ポリスチレン（ＥＰＳ）、押出ポリスチレン（ＸＰＳ）、またはポリウレタン（ＰＵＲ）からなる
請求項１乃至１９の一項に記載の輸送コンテナ。
【請求項２１】
前記内側コンテナ（２）は、前記内側コンテナスペース（２３）を２つの別個のチャンバに分割するための取出可能な仕切りを有する、
請求項１乃至２０の一項に記載の輸送コンテナ。
【請求項２２】
−前記輸送コンテナ（１）は、前記外側コンテナ（３）に挿入可能であるとともに前記外側コンテナ（３）から取出可能である更なる内側コンテナを有し、
−前記更なる内側コンテナは、上方に開放する、貨物（１０）用の更なる内側コンテナスペースを形成し、
前記外側コンテナ壁（３２）および前記外側コンテナベース（３１）に沿って、隙間が前記更なる内側コンテナと前記外側コンテナ（３）との間に存在する、
請求項１乃至２１の一項に記載の輸送コンテナ。
【請求項２３】
前記輸送コンテナ（１）は、前記内側コンテナスペース（２３）内の温度を測定するための測定装置を有する、
請求項１乃至２２の一項に記載の輸送コンテナ。
【請求項２４】
貨物（１０）、特に医薬品および／または食品を複数の輸送コンテナ（１）により輸送する方法であって、
各輸送コンテナ（１）は、
−外側コンテナベース（３１）と外側コンテナ壁（３２）とを有する外側コンテナ（３）と、
−前記外側コンテナ（３）に挿入可能であるとともに前記外側コンテナ（３）から取出可能である内側コンテナ（２）であって、内側コンテナベース（２１）と内側コンテナ壁（２２）とを有する内側コンテナ（２）と、
を有し、
−前記内側コンテナ（２）は、上方に開放する、前記貨物（１０）用の内側コンテナスペース（２３）を形成し、
−前記外側コンテナ壁（３２）および前記外側コンテナベース（３１）に沿って、隙間（７）が前記内側コンテナ（２）と前記外側コンテナ（３）との間に存在し、
−少なくとも１つの断熱要素（４）、特に真空断熱パネルが、前記内側コンテナ（２）と前記外側コンテナ（３）との間に配置され、
−少なくとも１つの取出可能なＰＣＭ要素（５）が、前記内側コンテナ（２）と前記外側コンテナ（３）、特に前記断熱要素（４）との間に配置される、
方法において、
最初に、前記貨物（１）が、前記内側コンテナ（２）の前記内側コンテナスペース（２３）内に配置され、
選択的に、前記内側コンテナ（２）が、前記内側コンテナのカバー（６、２４）で閉鎖され、
選択的に、前記内側コンテナ（２）が、前記カバー（６、２４）でシールされ、
選択的に、前記内側コンテナ（２）が、前記貨物（１０）とともに輸送され、
前記内側コンテナ（２）が、前記外側コンテナ（３）のうちの１つに挿入され、
前記輸送コンテナ（１）が、前記内側コンテナ（２）と前記外側コンテナ（３）と前記貨物（１０）とともに輸送され、
前記貨物（１０）を含む前記内側コンテナ（２）が、前記外側コンテナ（３）から取り出され、
前記貨物（１０）を含む前記内側コンテナ（２）が、別の外側コンテナ（３）に挿入される、
方法。
【請求項２５】
各輸送コンテナ（１）は、請求項１乃至２３の一項に記載のように構成される、
請求項２４に記載の方法。
【請求項２６】
前記複数の輸送コンテナ（１）は、ＰＣＭ要素（５）の個数および／または前記ＰＣＭ要素（５）の前記相変化材料に関して異なる、
請求項２４または２５に記載の方法。
【発明の詳細な説明】
【技術分野】
【０００１】
本発明は、特に医薬品および／または食品の受動的冷蔵輸送のための輸送コンテナに関する。更に、本発明は、複数の輸送コンテナにより貨物を輸送する方法に関する。貨物は、医薬品および／または食品によって形成され得る。
【背景技術】
【０００２】
上述のタイプの輸送コンテナは、従来技術から多くのバリエーションにおいて知られている。前記輸送コンテナは、例えば、製薬産業の物品流通サイクルにおける医薬品の輸送を整備する役割を果たす。このような輸送システムは、この部門の専門用語で「リターナブル国内荷送（Ｒｅｔｕｒｎａｂｌｅ  Ｄｏｍｅｓｔｉｃ  Ｓｈｉｐｐｅｒ）」（ＲＤＳ；ＲＤＳボックス）と呼ばれている。このタイプの輸送コンテナの基本部品は、基本的に、ベースと、ケースと、カバーとを有するコンテナである。このようなコンテナは、直方体または箱形になるように具現化され得る。本例におけるケースは、縦壁と横壁とを有する。また、コンテナは、円筒状または管状に具現化され得る。この実施形態におけるケースは、円筒形状を有する。ケースはベースと一体化するように具現化され得る。カバーは、コンテナの内部スペースに外部からアクセス可能であるように構成される。
【０００３】
上述のタイプの輸送コンテナは、断熱コンテナである。以下の２つの実施形態が、とりわけ知られている。一方では、コンテナは、一体構成とされ得るとともに、断熱材料で構成され得る、または断熱壁を有し得る。他方では、少なくとも１つの断熱要素が、コンテナ内に配置され得る。
【０００４】
温度に敏感な物品が、このタイプの輸送コンテナで輸送され得る。これらは、コンテナの内部スペースの温度変動に敏感な物品であると理解される。このような物品には、医薬品、食品、バイオテクノロジー製品、試験装置、および臨床研究用および臨床試験からの検体、移植品、および輸血用血液が含まれる。本応用分野において、必ず順守すべき最適な輸送および保管温度は、例えば２℃乃至８℃である。
【０００５】
このような貨物の多くまたは全ては、非常に狭い温度範囲でしか安定しない。したがって、このような貨物は、必ずこのタイプの温度範囲内で輸送および保管されなければならない。更に、輸送温度に関して非常に敏感なこのような製品は、特にいかなる状況においても凍結してはならない。この場合、０℃未満の温度を確実に回避する必要がある。
【０００６】
ＥＰ  ２  ７００  ８９１  Ａ２から、剛性の弾性材料からなる外側コンテナを有する輸送コンテナが知られている。この輸送コンテナは、ベースおよびケースを有する槽形状の下部と、下部の開放側を閉鎖するカバーとから構成されている。外側コンテナおよびそのカバーは、例えば熱プラスチックまたは熱硬化性プラスチック材料、または金属または複合材料から構成され得る。カバーは、下部の上に緩く配置され得る、または、対応するヒンジ要素を介して一側で関節接合され、選択的に反対側で何等かの態様で閉鎖され得る。
【０００７】
更に、槽形状の内側コンテナを外側コンテナに設けることが知られている。内側コンテナは、内側ベースと、内側ケースまたは内側壁とを有し、外側コンテナの下部に挿入される。内側コンテナは、上方に向かって開放する、貨物用受容スペースを形成する。この内側コンテナは、「インライナー（ｉｎｌｉｎｅｒ）」とも呼ばれ、それ自体が剛性の弾性材料から、したがって外側コンテナのものと同様の材料から本質的に構成され得る。前記内側コンテナは、好適には、断熱材料から構成される。
【０００８】
外側コンテナへの挿入のために、既知の輸送コンテナの内側コンテナは、その寸法に関して、外側コンテナの下部より小さく具現化されなければならない。これにより、ケースに近接する、またベースに近接する隙間が、内側コンテナと外側コンテナとの間に存在する。適切な寸法の真空断熱パネルが、内側コンテナと外側コンテナの間において、このベースに近接する、ならびにケースの壁に近接する隙間に配置される。内側コンテナは、上縁部に、内側ケースを超えて外方に向かう包囲カラーを有している。これにより、内側コンテナと外側コンテナとの間の隙間が覆われ、異物が上方から侵入することが不可能とされる。
【０００９】
プレート形状の潜熱蓄熱器要素が、内側コンテナの受容スペースにおいて内側ベースの上部に配置される。前記潜熱蓄熱器要素の外側寸法は、受容スペースにおける内側ベースの内側寸法、したがって前記内側ベースの有効長さ、および前記内側ベースの有効幅に潜在的に対応する。
【００１０】
潜熱蓄熱器要素は、潜熱蓄熱器材料を含有している。潜熱蓄熱器材料は、比較的大量の熱を狭い温度範囲に蓄積することができるという利点を有する。相変化は実質的に一定の温度で特定の期間に亘って生じるため、温度変動を補償したり温度ピークを回避したりすることができる。潜熱蓄熱器材料は、種々の形態で知られている。このような材料は、相変化材料またはＰＣＭとも呼ばれる。相変化材料について、通常、相変化温度範囲ではなく、相変化温度範囲における相変化温度が定義される。相変化温度は、一般に、相変化材料が温度制御されるべき目標温度、したがっていわば動作点を表す。したがって、略０℃の目標温度において、種々の添加剤を含む水を潜熱蓄熱器要素として使用することができる。適切に調製された食塩水は、例えば０℃未満の冷たさを蓄積するために使用される。他の材料、例えばパラフィンベースの材料は、０℃をわずかに超える範囲により適している。
【００１１】
従来技術から知られているＰＣＭ要素とも呼ばれる潜熱蓄熱器要素のアセンブリにおいて、前記ＰＣＭ要素は、内側コンテナの内側スペースに正確に嵌入し、且つ同時に内側スペースから取り外し可能でもあるように適合されていることが想定される。
【００１２】
上述の既知の輸送コンテナは、比較的複雑な設計を有している。この複雑な設計の原因は、幾何学的形状において互いに異なる種々の潜熱蓄熱器要素であって、内側コンテナに正確に嵌入して挿入されるように相互に適合された潜熱蓄熱器要素でもある。したがって、異なる形状およびサイズの潜熱蓄熱器要素を常に準備して、各場合に相互に変更および／または適合させるように内側スペースに個々に挿入しなければならない。このタイプのシステムは、例えば医薬品部門や食品輸送部門等の理想的な高効率を目指す物品サイクルについて、比較的複雑で高価である。
【００１３】
コンテナの既知の態様における更なる欠点は、潜熱蓄熱器要素が比較的損傷しやすいことである。潜熱蓄熱器要素は、貨物がコンテナから取り出される度に高い応力を受ける。更に、貨物を輸送コンテナから取り出す際、一方で潜熱蓄熱器増加分が損傷しないように常に注意を払う必要がある。また他方で、ＰＣＭ要素が所定位置に堅固に保持または固定されていることを考慮しなければならない。
【発明の概要】
【００１４】
したがって、本発明の教示は、前記輸送コンテナがより柔軟に用途に適合させることができるように、上述のタイプの輸送コンテナを設計および改良し、輸送コンテナを取り扱い易くするという目的に基づいている。
【００１５】
したがって、本発明の教示は、これに対応して改善された、複数の輸送コンテナにより貨物を輸送するための方法を特定するという目的にも基づいている。
【００１６】
本発明は、請求項１または請求項２の特徴を有する上述のタイプの輸送コンテナにおいて上記目的を達成する。好適な設計実施形態および改良点は、輸送コンテナに関する従属請求項の主題である。
【００１７】
請求項１による第１実施形態によれば、外側コンテナと、前記外側コンテナに挿入可能であるとともに前記外側コンテナから取出可能である内側コンテナと、を有する、特に医薬品および／または食品の受動的冷蔵輸送用の輸送コンテナが提供される。前記外側コンテナは、外側コンテナベースと外側コンテナ壁とを有する。一方、前記内側コンテナは、内側コンテナベースと内側コンテナ壁とを有する。貨物用の前記内側コンテナは、上方に開放する内側コンテナスペースを形成する。前記外側コンテナ壁および前記外側コンテナベースに沿った隙間が、前記内側コンテナと前記外側コンテナとの間に設けられる。更に、少なくとも１つの断熱要素、特に真空断熱パネルが、前記内側コンテナと前記外側コンテナ、特に前記外側コンテナ壁との間に配置される。少なくとも１つの取出可能なＰＣＭ要素が、前記内側コンテナと前記外側コンテナとの間に配置される、および／または配置可能である。
【００１８】
本発明の文脈における「取出可能」性とは、該当する部品が、当該部品自体または他の部品が損傷することなく、取り出され得るとともに再挿入され得るものとして理解されるべきである。
【００１９】
本発明の文脈における真空断熱パネルについては、ＥＰ  ２  ７００  ８９１Ａ２およびＤＥ  ２０  ２０１４  ００４  ５１５  Ｕ１からの先行技術を参照されたい。これらに、真空断熱パネルの設計例が提供されている。また、真空断熱パネルに関する更なる情報が、ＷＯ  ２００４／１０４４９８  Ａ２からも得られる。
【００２０】
本発明によれば、ＰＣＭ要素は、潜熱蓄熱器要素とも称され得る。これらの記載は、特に以下で同義語として使用される。
【００２１】
本発明による潜熱蓄熱器要素すなわちＰＣＭ要素は、選択的に圧力補償弁も設けられたケース内の潜熱蓄熱器材料である。前記潜熱蓄熱器材料は、好適には、マクロカプセル化された潜熱蓄熱器材料である。しかしながら、ミクロカプセル化された潜熱蓄熱器材料も使用され得る。ケースは、多くの場合プラスチック材料製である。基本的な構造は、例えば、いわゆる「コールドパック」から知られている。
【００２２】
このタイプの潜熱蓄熱器要素すなわちＰＣＭ要素は、個々にみなされ得るし、又は、例えば対応するコンテナに設置される複数の潜熱蓄熱器要素としてもみなされ得る。
【００２３】
一方、上述のタイプのＰＣＭ要素は、多くの目標温度について利用できるようになっている。特に、潜熱蓄熱器要素すなわちＰＣＭ要素は、３７℃、２２℃、１８℃、５℃、０℃、−１９℃、−２１℃、−２６℃および−３７℃の目標温度に対して使用可能である。
【００２４】
本発明の文脈における受動的冷蔵輸送は、「能動的」冷却がなされない貨物の輸送として理解されるべきである。本発明による貨物の冷却は、輸送中に外部、特に電気による補助電力が供給されない輸送コンテナにより「受動的」に行われる。冷却または断熱は、最終的に輸送コンテナの設計および材料によりなされる。
【００２５】
請求項２による第２実施形態において、請求項２に記載の特徴を有する輸送コンテナが更に提供される。
【００２６】
本発明の第２実施形態は、外側コンテナと、前記外側コンテナに挿入可能であるとともに前記外側コンテナから取出可能である内側コンテナと、を有する、特に医薬品および／または食品の受動的冷蔵輸送用の輸送コンテナに関する。前記外側コンテナは、外側コンテナベースと外側コンテナ壁とを有する。一方、前記内側コンテナは、内側コンテナベースと内側コンテナ壁とを有する。貨物用の前記内側コンテナは、上方に開放する内側コンテナスペースを形成する。前記外側コンテナ壁および前記外側コンテナベースに沿った隙間が、前記内側コンテナと前記外側コンテナとの間に存在する。前記外側コンテナは、断熱要素である、または断熱要素を形成する。少なくとも１つの取出可能なＰＣＭ要素が、前記内側コンテナと前記外側コンテナとの間に配置される、および／または配置可能である。
【００２７】
第２実施形態は、特に断熱要素が外側コンテナにより形成されるという点において、本発明の第１実施形態と異なる。これは、少なくとも１つの断熱要素が内側コンテナと外側コンテナとの間に配置された第１実施形態では、「絶対」ではない。外側コンテナを断熱要素として構成することにより、別個の断熱要素を省略することができる。したがって、輸送コンテナは、構造的に非常にシンプルになる。一方で材料を節約することができ、他方で構造をよりユーザに使い易く設計することができる。
【００２８】
両実施形態において、外側コンテナは、好適には剛性の弾性材料からなる。
【００２９】
第１ならびに第２実施形態の場合において、取出可能なＰＣＭ要素が、内側コンテナと外側コンテナとの間に配置される、および／または配置可能であるということが、、本発明では適切である。このような配置により、ＰＣＭ要素を保護することができるとともに、高度にモジュール化されて個々に各輸送経路に適応できる輸送コンテナ全体の柔軟な使用が実現され得る。
【００３０】
本発明によれば、潜熱蓄熱器要素すなわちＰＣＭ要素の対応配置により、貨物輸送の全体手順をシンプルにすることができた。以下に説明する多くの利点が、本発明による輸送コンテナと組み合わせて明らかになる。
【００３１】
本発明による設計実施形態において、輸送コンテナに対して設定された熱的要件を意図した適用または使用に応じて常に満足させ得る多くの潜在的なバリエーションが存在することが特に有利である。
【００３２】
したがって、貨物を取り出すために、内側コンテナが貨物と一緒に、特に単独で取り出され得ることが特に有利である。特に、断熱要素および／またはＰＣＭ要素は、内側コンテナ内に配置されていない。特に、内側コンテナは、断熱要素および／またはＰＣＭ要素に接続していない。したがって、貨物の荷送人または荷受人は、内側コンテナ内の貨物を、内側コンテナとともに簡単に輸送することができる。このため、貨物を輸送する際、特に内側コンテナスペースが閉鎖した状態で貨物が外側コンテナから取り出されたとき、貨物が特に少なくとも直接外部からの影響にさらされないということが保証され得る。例えば、内側コンテナ内の医薬品および／または食品（貨物）を、能動的な冷却回路としても設計され得る別個の冷却回路に接続することができる。特に、内側コンテナ内の貨物を、能動的に冷却しつつ外側コンテナに輸送することができる。
【００３３】
性能、特に輸送距離を向上させるべく、内側コンテナは、外側コンテナに何度でも挿入可能である。
【００３４】
内側コンテナを外側コンテナから取り出した後、外側コンテナは単数または複数のＰＣＭ要素、および特に単数または複数の断熱要素とともに更に輸送され得る、および／または荷送人に返送され得る。これは、特に高価なＰＣＭ要素の移送を行う必要なく、荷受人に貨物が内側コンテナとともに引き渡され得るという点で有利である。
【００３５】
更に、複数の異なる内側コンテナを、（連続して）外側コンテナに配置して「新たな」輸送コンテナを形成することができる。これにより、温度に敏感な貨物の輸送が非常にシンプルになる。
【００３６】
更に、本発明は、ＰＣＭ要素が、摩耗や機械的応力から保護される一方で、内側コンテナにより離間しているため貨物と直接接触しないという点で際立って有利である。これにより、特に内側コンテナスペースの衛生や消毒に関する態様がシンプルになる。
【００３７】
更に、貨物とＰＣＭ要素の材料との接触が、後者に漏れが生じた場合、またはその逆の場合に回避され得る。これにより、貨物の輸送時における貨物の安全性および保護が非常に向上する。
【００３８】
本発明によるＰＣＭの要素の使用により、特に蓄熱器要素の最も効率的な形態が利用される。また、更なる蓄熱器要素、例えば、クールパック等の顕熱に基づく蓄熱器要素、および／または（例えば石や耐火粘土製の）大きい質量を有する蓄熱器ブロックを使用することも考えられる。
【００３９】
本発明による輸送コンテナのコストは、従来技術から知られる輸送コンテナと比較して大幅に削減され得る。輸送コンテナは、一方で、特に摩耗から保護されたＰＣＭ要素の配置により、非常に長い期間使用することができる。また他方で、輸送コンテナの全体構造をシンプルにすることができ、特にこれがモジュール式構造であるという点で、コストを削減することができる。
【００４０】
以下に記載の本発明による好適な実施形態は、本発明の第１実施形態ならびに第２実施形態に関する。
【００４１】
好適には、内側コンテナは、洗浄可能である、および／または食品に適するように設計される。
【００４２】
１つの特に好適な実施形態において、少なくとも１つの断熱要素が、外側コンテナベースの内側に、および／または外側コンテナ壁の内側に配置される。好適には、少なくとも１つの断熱要素が、外側コンテナベースまたは外側コンテナ壁の内側に当接する、および／または内側と形状が適合した態様で相互作用することが想定され得る。最も好適には、断熱要素は、前記断熱要素が外側コンテナ壁および／または外側コンテナベースの内側の少なくとも実質的に全領域にわたって当接するようなタイプの形状を有する。例えば、断熱要素、好適には真空断熱パネルが、取出可能に外側コンテナベースおよび／または外側コンテナ壁の内側に配置されることが想定され得る。あるいは、断熱要素は、外側コンテナ壁の内側、または外側コンテナベースの内側に固定的に接続し得る。
【００４３】
更に好適には、取出可能なＰＣＭ要素が、内側コンテナベースと外側コンテナベースとの間に配置され得る、および／または配置可能である。これに代えて、またはこれに加えて、少なくとも２つ、好適には４つの取出可能なＰＣＭ要素が、内側コンテナ壁と外側コンテナ壁との間に配置され得る、および／または配置可能である。ＰＣＭ要素を上述のように配置することにより、ＰＣＭ要素を簡単に交換することができる。これは、輸送コンテナを異なる輸送目的に、または異なる目標温度に適合させる場合に特に有利である。したがって、損傷したＰＣＭ要素を比較的簡単に交換することも可能となる。
【００４４】
ＰＣＭ要素が外側コンテナベースに対面することが特に想定され得る。この場合、複数または単数の更なるＰＣＭ要素が外側コンテナ壁に対面し得る。設計実施形態および各壁に対するＰＣＭ要素の配置は、用途、特に目標温度に応じて、貨物に対応した態様で選択され得る。
【００４５】
好適には、ＰＣＭ要素に外部から、すなわち内側コンテナスペースから簡単にアクセスすることはできない。例えば、ＰＣＭ要素に「到達」するためには、まず内側コンテナ壁を有する内側コンテナを輸送コンテナから取り外す必要があることが想定され得る。このため、ＰＣＭ要素の改竄および／または損傷が、輸送コンテナの挿入状態において少なくとも実質的に確実に回避される。
【００４６】
有利には、複数のＰＣＭ要素および／または断熱要素は、前記要素が機械的に異なる限り、少なくとも略同一の特性（特に熱特性）を有する。
【００４７】
上述の輸送コンテナにおいて、更に好適な実施形態では、厳密に１つの断熱要素、特に厳密に１つの真空断熱パネルが、内側コンテナと外側コンテナとの間に配置されることが想定され得る。厳密に１つの断熱要素は、内側コンテナ壁と外側コンテナ壁との間、ならびに内側コンテナベースと外側コンテナベースとの間で延び得る。厳密に１つの断熱要素は、折り曲げられる、および／または曲げられる。
【００４８】
断熱要素が、少なくとも実質的に外側コンテナの形状を有する、および／または外側コンテナおよび／または内側コンテナの形状に対応するように構成されることが好適である。本例における内側コンテナは、前記内側コンテナが断熱要素により形成された開口を介して挿入可能であるように構成され得る。また、断熱要素は、外側コンテナに挿入可能であり得る。輸送コンテナの断熱は、特に、断熱要素の「連続した」構造によって向上し得る。したがって、わずかな温度交換が生じ得る裂け目や割れ目は、特に回避される。断熱要素が実質的に一体であることにより提供される大きな面も、輸送コンテナの良好な断熱を可能とし得る。特に断熱要素が一体構造を有する場合、モジュール式の「分解可能な」輸送コンテナが同様に提供され得る、および／または、単数または複数の断熱要素に損傷を与える危険を冒さずに、断熱要素の取出が非常に簡単になり得る。
【００４９】
好適には、内側コンテナベース領域のサイズは、外側コンテナベース領域のサイズの少なくとも７０％である。真空断熱パネルの優れた断熱特性により、内側コンテナベース領域と外側コンテナベース領域との間のスペースを小さく保つことができ、これにより外側コンテナベース領域とサイズの点で同様の内側コンテナベース領域を提供することができる。
【００５０】
輸送コンテナの１つの更に好適な設計実施形態において、内側コンテナは、上縁部に、内側コンテナ壁を超えて外方に向かう包囲カラーを有し、輸送コンテナは、挿入状態において内側コンテナのカラーが当接する内側コンテナ支持体を有することが想定され得る。このタイプの構造は、カラーが内側コンテナ支持体の形状に対応する形状を有するように提供され得る。これにより、カラーと内側コンテナ支持体とが互いに係止および／または係合することができる。
【００５１】
好適には、内側コンテナ支持体は、挿入状態において内側コンテナを支持することが想定され得る。
【００５２】
内側コンテナ支持体は、挿入状態において、単数または複数の断熱要素および／または単数または複数のＰＣＭ要素の上部に、および／または外側コンテナ壁に配置されることが好適である。
【００５３】
更に、内側コンテナ支持体は、内側コンテナのカラーに固定的に接続することが好適である。この場合の内側コンテナ支持体は、外側コンテナから解放可能な部品として構成される。特に、内側コンテナ支持体は、形状が適合した態様で、および／または材料が一体化した態様でカラーに接続され得る、および／または形状が適合した態様で、および／または材料が一体化した態様で、内側コンテナの内側コンテナ壁に接続され得る。
【００５４】
内側コンテナ支持体の材料は、カラーの、内側コンテナベースの、および／または内側コンテナ壁の材料と異なり得る。
【００５５】
内側コンテナ支持体の形状、および内側コンテナのカラーの、挿入状態において内側コンテナ支持体に対面する少なくとも一部の形状は、特に互いに対応するように構成される。カラーと内側コンテナ壁との接続は、特に、内側コンテナスペースが輸送コンテナの閉鎖状態において整列するように構成される。本例において、カラー全体が内側コンテナ支持体に絶対に隣接する必要はないことが理解される。基本的に、カラーに内側コンテナ支持体を配置するための接触部があれば十分である。カラーのこの接触部は、特に、内側コンテナ支持体の形状に対応する、および／または内部コンテナ支持体の形状を補完する形状を有し得る。
【００５６】
特に、内側コンテナ支持体が、少なくとも部分的に、好適にはカラーに対面する、および／またはカラーに配置されるべき接触部分において、階段状の断面を有することが好適である。
【００５７】
内側コンテナ支持体は、外側コンテナ壁を内側で包囲し得る。
【００５８】
内側を包囲する外側コンテナ壁の場合、包囲した状態の内側コンテナ支持体は、内側コンテナに対面する外側コンテナ壁の内側に、および／または外側コンテナ壁の上縁部に隣接および／または当接し得ることが想定され得る。好適な包囲凸部および／または突出カラーが、内側コンテナ支持体が当接するように外側コンテナ壁の内側に設けられ得る。内側コンテナと外側コンテナとの間の利用可能な隙間は、内側コンテナ、好適には内側コンテナのカラーが、内側コンテナ支持体を介して、外側コンテナに、特に、外側コンテナ壁の内側、および／または外側コンテナの凸部および／または突出カラーに間接的に接続されるように、特に、内側コンテナ支持体によって橋架され得る。
【００５９】
階段状の断面により、例えば、輸送コンテナの挿入状態における、特に閉鎖状態におけるシール機能が改善され得る。挿入状態における内側コンテナ支持体のカラーへの少なくとも実質的に緊密な接続が、少なくとも部分的に階段状の断面を有する内側コンテナ支持体により向上され得ることが証明された。好適には形状が適合した態様で、内側コンテナを外側コンテナの上部に配置することも、内側コンテナ支持体の階段状断面の上部に実質的に正確に合わさるように（内側コンテナが）適合されることでシンプルになり得る。
【００６０】
１つの更に好適な実施形態において、単数または複数のＰＣＭ要素用の位置決め装置が、外側コンテナと内側コンテナとの間に配置されることが更に想定され得る。特に、位置決め装置は、単数または複数の断熱要素と内側コンテナベースとの間に配置され得る。取り扱いの観点から、位置決め装置が取出可能に構成されることが特に有利である。位置決め装置は、ＰＣＭ要素の位置決めや装着に役立つとともに、潜熱蓄熱器要素を外側コンテナに、または内側コンテナに対面する外側コンテナ壁の内側に近接して簡単に挿入することを可能にする。更に、位置決め装置は、ＰＣＭ要素を安定させるとともに、熱の逃げ道を減少させることに貢献する。
【００６１】
位置決め装置は、前記位置決め装置が単数または複数の断熱要素を位置決めする、および／またはこれ（ら）を保護することにも寄与するように構成され得る。
【００６２】
位置決め装置は、例えば、外側コンテナの上部に配置可能なプレート形状のスペースホルダとして構成され得る。特に、位置決め装置は、プレート形状のベースプレートを有する。更に、位置決め装置は、好適には包囲突出脚部を有し得る。特に、脚部はベースプレートから突出する、および／またはベースプレートの外縁部と脚部との間の隙間が少なくとも実質的にＰＣＭ要素の厚さまたは幅に対応し得る。位置決め装置、特にベースプレートの基本形状は、特に外側コンテナベースの形状に対応し得る。
【００６３】
本発明の概念の１つの更に好適な実施形態において、輸送コンテナは、輸送コンテナを閉鎖するためのカバーを有することが更に想定され得る。
【００６４】
好適には、外側コンテナおよび内側コンテナを閉鎖するための厳密に１つのカバーが設けられる。厳密に１つのカバーにより、内側コンテナならびに外側コンテナが挿入状態においてシールされ得ることで、輸送コンテナが必要とされる断熱特性を提供できることが保証され得る。内側コンテナに近接して、または内側コンテナの上部にカバーを配置するとともに、外側コンテナに近接して、または外側コンテナの上部にカバーを配置することにより、内側コンテナならびに外側コンテナが、カバーによって同時に少なくとも実質的に確実な態様で閉鎖され得ることが確保され得る。
【００６５】
あるいは、「カバーシステム」という意味において、カバーは、内側コンテナを閉鎖するための内側コンテナカバーと、外側コンテナを閉鎖するための別個の外側コンテナカバーと、を有し得る。輸送コンテナを閉鎖するためには、まず内側コンテナカバーを内側コンテナの上部に、特に内側コンテナのカラーおよび／または内側コンテナ支持体に配置して内側コンテナを閉鎖する。続いて、外側コンテナカバーを外側コンテナの上部に、特に外側コンテナの上縁部に配置してこれを閉鎖することができる。内側コンテナカバーおよび外側コンテナカバーは、輸送コンテナの閉鎖状態において、相互に隣接し得る、および／または互いに隣り合って配置され得る。本例において、内側コンテナカバーと外側コンテナカバーとは、好適には形状が適合した態様で互いに係合し得る、および／または互いに係止し得る。
【００６６】
カバー、特に内側コンテナカバーは、輸送コンテナの閉鎖状態において、好適には、内側コンテナ支持体および／または内側コンテナのカラーに当接する。本例において、カバー、特に内側コンテナカバーが、内側コンテナ支持体に相補的な閉鎖装置を有することが好適である。特に、閉鎖装置も内側コンテナのカラーに配置され、これを輸送コンテナの挿入状態および閉鎖状態において閉鎖および／またはシールすることが想定される。閉鎖装置は、カバーの周縁部に少なくとも実質的にこれ（カバーの周縁部）を包囲するように設けられ得る。本例において、閉鎖装置は、内側コンテナ支持体の断面、特に階段状の断面に対応する、および／またはこれに相補的である形状を有することが想定され得る。
【００６７】
カバー、特に内側コンテナカバーおよび／または外側コンテナカバーは、一体、または複数の部品として構成され得る。
【００６８】
１つの更に好適な実施形態において、少なくとも１つの断熱要素、好適には真空断熱パネルが、カバーに、特に内側コンテナカバーに配置される、および／または隣接配置されることが想定され得る。断熱要素は、内側コンテナカバーおよび／または外側コンテナカバーの本体に隣接配置され得る、および／または囲まれ得る。本例において、断熱要素は、形状が適合した態様で、および／または圧力嵌めの態様で、内側コンテナカバーおよび／または外側コンテナカバーの本体に接続し得る。
【００６９】
１つの更に好適な実施形態によれば、少なくとも１つの係止手段が、外側コンテナカバーに設けられ得る。係止手段は、内側コンテナの反対側を向く外側コンテナ壁の外側の更なる係止手段と、形状が適合した態様で相互作用するように構成される。したがって、カバーは、確実且つ特に形状が適合した態様で外側コンテナに配置され得る。係止手段および更なる係止手段は、互いに対応するように、および／または互いに相補的であるように構成され得る。例えば、係止手段が開口として構成され、更なる係止手段が、係止手段の開口に係合するための突起として構成されてもよいし。この逆であってもよい。
【００７０】
更に、カバーは、内側コンテナをシール可能である。内側コンテナをカバーでシールすることは、貨物を守ることができるという点で、貨物の輸送に特に有利である。これにより、輸送中の貨物に対する改竄が少なくとも検出または識別され得る。シールが破られた場合、貨物を取り出す人に、内側コンテナが開封されたことが明白にわかる。したがって、輸送中に貨物にアクセスがあったかどうかを確認することができる。
【００７１】
発泡ポリプロピレン（ＥＰＰ）、発泡ポリスチレン（ＥＰＳ）、押出ポリスチレン（ＸＰＳ）、および／またはポリウレタン（ＰＵＲ）が、位置決め装置、および／または内側コンテナ支持体、および／またはカバー、特に内側コンテナカバーおよび／または外側コンテナカバー、および／またはカバーの閉鎖装置の材料として想定され得る。上述の装置は、当該材料からなり得る、または当該材料で構成され得る。この材料は、特に、輸送コンテナの全体的な断熱を改善する良好な断熱効果を際立って有する。
【００７２】
更に、内側コンテナは、内側コンテナスペースを２つの別個のチャンバに分割するための取出可能な仕切りを有することが想定され得る。この仕切りによって、貨物を受容するための２つの部分に、内側コンテナスペースを分割することができる。これは、互いに接触してはならない、または互いに当接してはならない２種類の貨物を輸送すべき場合に非常に有利である。例えば、２つの異なる医薬品を輸送する場合、一方の薬品を内側コンテナスペースの一方のチャンバにそれぞれ配置することができる。
【００７３】
好適には、輸送コンテナは、外側コンテナに挿入可能であるとともに外側コンテナから取出可能である更なる内側コンテナを有する。貨物用の更なる内側コンテナは、上方に開放する更なる内側コンテナスペースを形成する。外側コンテナ壁および外側コンテナベースに沿った隙間が、更なる内側コンテナと外側コンテナとの間に存在する。特に、少なくとも１つの取出可能なＰＣＭ要素が、更なる内側コンテナと外側コンテナとの間のこの隙間に配置され得る。
【００７４】
本発明による内側コンテナの上述の好適な設計実施形態は、更なる内側コンテナに対しても同様に想定され得ることが理解される。
【００７５】
本発明は、外側コンテナに挿入可能な複数の更なる内側コンテナを設けることを排除しない。また、内側コンテナは、基本的に複数の部品でも構成され得る。特に異なるタイプの貨物を受容する機能を果たす別個のチャンバが、複数の（更なる）内側コンテナにより提供され得る。
【００７６】
輸送コンテナは、内側コンテナスペース内の温度を検査および／または測定するための測定装置を有し得る。特に、測定装置は、温度センサを有する。測定装置は、表示装置に連結および／または接続され得る。これにより、内側コンテナスペース内の温度が、例えば表示装置に表示され得る。この表示装置は、例えば、輸送コンテナの外部に配置され得る。これにより、内側コンテナスペース内の温度は、輸送コンテナの閉鎖状態でも、輸送コンテナを開ける必要なく第三者に外部において表示され得る。
【００７７】
更なる態様によれば、本発明は、貨物を輸送するための方法に関する。特に、医薬品および／または食品が貨物として考えられる。本発明による方法の好適な設計実施形態および改良点は、本方法に関する従属請求項の主題である。
【００７８】
本発明による方法において、貨物は、複数の輸送コンテナにより輸送される。各輸送コンテナは、外側コンテナベースと、外側コンテナ壁と、を有する外側コンテナを有する。同様に、外側コンテナに挿入可能であるとともに外側コンテナから取出可能である、輸送コンテナの内側コンテナが想定される。内側コンテナは、内側コンテナベースと、内側コンテナ壁と、を有する。貨物用の内側コンテナは、上方に開放する内側コンテナスペースを形成する。外側コンテナ壁および外側コンテナベースに沿った隙間が、内側コンテナと外側コンテナとの間に存在する。少なくとも１つの断熱要素、特に真空断熱パネルが、内側コンテナと外側コンテナとの間に配置される。少なくとも１つのＰＣＭ要素が、内側コンテナと外側コンテナ、特に断熱要素との間に配置される。
【００７９】
本発明による方法において、上述のタイプの輸送コンテナのみが、最も特に好適に使用される。上述の本発明による輸送コンテナの利点および特定の実施形態が、本発明による輸送方法にも同様に適用されることが理解される。不要な繰り返しを避けるため、上述の説明を参照することができる。
【００８０】
本発明による方法において、最初に、貨物が、内側コンテナの内側コンテナスペースに配置されることが想定される。
【００８１】
前記内側コンテナは、カバーで閉鎖され得る。続いて、前記内側コンテナは、カバーでシールされ得る。更に、前記内側コンテナは、貨物とともに輸送され得る。貨物は、その中で能動的に冷却され得る。
【００８２】
貨物を前記内側コンテナに配置した後、そして選択的に上述の単数または複数の選択的ステップの後、前記内側コンテナは、外側コンテナに挿入される。その後、輸送コンテナは、前記内側コンテナと、前記外側コンテナと、貨物と、ともに輸送される。
【００８３】
特に輸送後、貨物を含む前記内側コンテナは、前記外側コンテナから取り出される。貨物を含む前記内側コンテナは、次いで別の外側コンテナに挿入される。その後、輸送コンテナは、前記内側コンテナと、前記別の外側コンテナと、貨物と、ともに輸送され得る。
【００８４】
本発明による方法および本発明による輸送コンテナの変形の可能性が高いことは、上述の手順によって実証されている。とりわけ、内側コンテナを複数の外側コンテナに連続して挿入して輸送コンテナを形成することにより、高度な柔軟性が得られる。これは、物流フローや貨物の輸送に有利である。
【００８５】
本発明による方法で使用される輸送コンテナは、ＰＣＭ要素の個数および／またはＰＣＭ要素の相変化材料に関して異なり得る。例えば、異なる輸送コンテナが、各輸送経路に応じて設計された異なる熱特性を有し得る。
【００８６】
特に好適には、本発明によれば、輸送コンテナおよび／または本方法で使用される輸送コンテナは、積層可能なコンテナとして構成されることが想定される。輸送コンテナを積重ねられることは、輸送に関して有利である。複数の輸送コンテナは、少なくとも実質的に滑る恐れなく、互いの上部に配置でき、本例において特に互いに当接配置できる、または互いに隣接配置できる。
【００８７】
本発明の更なる特徴、利点および適用分野が、図面を参照して以下になされる例示的な実施形態の説明、および図面自体により導き出される。本明細書に記載および／または図示の全ての特徴は、請求項における前記特徴の組み合わせおよびその（組み合わせの）従属とは無関係に、個別にまたは任意に組み合わせて本発明の主題を形成する。
【００８８】
本発明を、好適な例示的実施例のみを示す図面により、以下により詳細に説明する。
【図面の簡単な説明】
【００８９】
【図１】本発明による輸送コンテナの好適な実施形態を概略的に示す斜視図。
【図２】開放状態にある図１の輸送コンテナを概略的に示す斜視図。
【図３】図１の輸送コンテナを概略的に示す分解図。
【図４】図１の輸送コンテナの線ＩＶ−ＩＶに沿った断面図。
【図５】図１の輸送コンテナの線Ｖ−Ｖに沿った断面図。
【図６】図２の輸送コンテナを貨物とともに概略的に示す斜視図。
【発明を実施するための形態】
【００９０】
図１の斜視図は、貨物１０を形成し得る医薬品および／または食品の受動的冷蔵輸送のために特に提供される、本発明による輸送コンテナ１の好適な実施形態を概略的に示す。
【００９１】
図２乃至５は、輸送コンテナ１の更なる図である。斜視図である図２は、開放状態（カバー６は省略）の輸送コンテナ１を概略的に示す。分解図である図３は、輸送コンテナ１を概略的に示す。図４は、輸送コンテナ１の線ＩＶ−ＩＶに沿った、輸送コンテナ１の断面図を概略的に示す。図５は、輸送コンテナ１の線Ｖ−Ｖに沿った、輸送コンテナ１の断面図を概略的に示す。
【００９２】
図６に、概略的に示された貨物１０を入れた輸送コンテナ１を示す。
【００９３】
図１乃至６は、輸送コンテナ１が外側コンテナ３を有することを示す。外側コンテナ３は、外側ベース３１と、外側コンテナ壁３２と、を有している。
【００９４】
更に、輸送コンテナ１は、外側コンテナ３に挿入可能であるとともに外側コンテナ３から取出可能である内側コンテナ２を有している。内側コンテナ２は、内側コンテナベース２１と、内側コンテナ壁２２と、を有している。内側コンテナ２は、貨物１０用の前記内側コンテナ２が、上方に開放する内側コンテナスペース２３を形成するように構成されている。
【００９５】
図６に示す好適な実施形態において、貨物１０は内側コンテナスペース２３に配置されることが想定される。
【００９６】
図４から、外側コンテナ壁３２および外側コンテナベース３１に沿った隙間７が、内側コンテナ２と外側コンテナ３との間に存在することが理解される。図示の好適な例示的実施形態における隙間７は、外側コンテナ３と内側コンテナ２との間の利用可能な隙間を示す。本例の隙間７は、内側コンテナ２に対面する、外側コンテナ壁３２の内側から始まり、外側コンテナ３に対面する、内側コンテナ壁２２の外側で終端する。隙間７は、基本的に、内側コンテナ２が外側コンテナ３に挿入された状態である、輸送コンテナ１の「組み立てられた」状態をもたらす。
【００９７】
図５にも隙間７が同様に示されている。内側コンテナ２は、挿入状態において、外側コンテナ壁３２に直接的に当接しない。
【００９８】
更に、図４および５には、少なくとも１つの断熱要素４が、内側コンテナ２と外側コンテナ３との間に配置されていることが示されている。図４および５に示される好適な例示的実施形態において、断熱要素４は、内側コンテナ２の間、より厳密には、すなわち具体的には、外側コンテナ３に対面する、内側コンテナ壁２２の外側と、外側コンテナ壁３２の内側と、の間、ならびに、外側コンテナ３に対面する、内側コンテナベース２１の外側と、外側コンテナベース３２の内側と、の間に配置されている。
【００９９】
図示しない変形例においては、少なくとも１つの断熱要素４が、外側コンテナベース３１の内側、または外側コンテナ壁３２の内側のいずれかに配置されている。
【０１００】
図示の好適な例示的実施形態において、断熱要素４は、真空断熱パネルとして構成されている。
【０１０１】
更に、図４および５による断面図には、少なくとも１つの取出可能なＰＣＭ要素５が、内側コンテナ２と外側コンテナ３との間に配置される、および配置され得ることが示されている。特に、ＰＣＭ要素５は、図４および５の断面図による好適な例示的実施形態にも示すように、内側コンテナ２と断熱要素４との間に配置され得る。
【０１０２】
図示の好適な例示的実施形態において、複数のＰＣＭ要素５が存在することが想定される。特に、ＰＣＭ要素は、少なくとも実質的に同一の相変化材料を有している。
【０１０３】
図示しない別の好適な実施形態において、輸送コンテナ１の外側コンテナ３は、断熱要素４であること、または断熱要素４を形成していることが想定される。図示の好適な例示的実施形態に対して、別の好適な実施形態においては、内側コンテナ２と外側コンテナ３との間に配置される断熱要素４を省略することができる。
【０１０４】
以下に記載される特徴は、特に輸送コンテナ１について最初に説明し図示した好適な実施形態に関する。しかしながら、これらの特徴は、外側コンテナ３が断熱要素４である、または断熱要素４を形成している、輸送コンテナ１の図示しない別の好適な実施形態にも同様に適用または転用され得ることが理解される。
【０１０５】
図示の好適な例示的実施形態において、厳密に１つの取出可能なＰＣＭ要素５が、内側コンテナベース２１と外側コンテナベース３１との間に配置されている。
【０１０６】
これに代えて、またはこれに加えて、少なくとも２つの取出可能なＰＣＭ要素５が、内側コンテナ壁２２と外側コンテナ壁３２との間に配置される、および／または配置され得ることが想定可能である。図３に示す好適な実施形態の部品の概略的分解図において、６つのＰＣＭ要素５が、内側コンテナ壁２２と外側コンテナ壁３２との間に「挿入された状態」で配置されることが示されている。しかしながら、厳密に４つの取出可能なＰＣＭ要素５が、内側コンテナ壁２２と外側コンテナ壁３２との間に「挿入された状態」で配置されることが特に好適である。
【０１０７】
更に、図３は、厳密に１つの断熱要素４が、内側コンテナ２と外側コンテナ３との間に配置されることを概略的に示している。図３に示す図示の好適な例示的実施形態における断熱要素４は、真空断熱パネルとして構成されている。
【０１０８】
本例において、厳密に１つの真空断熱パネル４が、内側コンテナ壁２２と外側コンテナ壁３２との間、および内側コンテナベース２１と外側コンテナベース３１との間に延びていることが特に想定される。真空断熱パネル４は、外側コンテナベース３１から外側コンテナ壁３２への移行領域において、折り曲げられている、または曲げられている。
【０１０９】
本例において、厳密に１つの断熱要素４は、その形状に関して、外側コンテナ３が断熱要素４によって内側コンテナ２から最終的に離間するように、外側コンテナ３または内側コンテナ２の形状に少なくとも実質的に対応している。断熱要素４は、外側コンテナ３に挿入可能であるとともに、特に外側コンテナ３から取出可能である。
【０１１０】
断熱要素４は、最も特に好適には、外側コンテナ壁３２および／または外側コンテナベース３１に少なくとも実質的に直接隣接している。
【０１１１】
図示の好適な例示的実施形態において、断熱要素４は、少なくとも実質的にＵ字形状の断面を有することが想定される。
【０１１２】
図２乃至６から、図示の好適な実施形態における内側コンテナ２は、カラー２６に隣接する上縁部２５を有していることがわかる。カラー２６は、内側コンテナ壁２２を超えて外方に向かい、したがって、内側コンテナ壁２２を超えて突出している。カラー２６は、内側コンテナ壁２２に対して角度を付けて構成されるとともに、内側コンテナ壁２２と共同して７０°乃至１１０°の角度を囲む。カラー２６は、内側コンテナ壁２２を包囲している。
【０１１３】
輸送コンテナ１は、例えば図３に示す内側コンテナ支持体８を更に備えている。内側コンテナ２のカラー２６は、挿入状態において、内側コンテナ支持体８に当接し得る。内側コンテナ支持体８は、特に、内側コンテナ２および／またはカラー２６に解除可能におよび／または固定的に接続可能な別部品として構成され得る。
【０１１４】
図４および５に示すように、外側コンテナ３に内側コンテナ２が挿入された状態において、内側コンテナ支持体８は、少なくとも部分的に、外側コンテナ３に当接し得る、および／または外側コンテナ３に隣接し得る。好適な包囲凸部および／またはカラーが、外側コンテナ壁３２に設けられ得る。これにより、内側コンテナ支持体８は、少なくとも部分的にそれ（外側コンテナ３）に当接する。
【０１１５】
内側コンテナ支持体８は、特に好適には包囲態様で構成され、特に内側コンテナ２のカラー２６を包囲するように配置される。
【０１１６】
図示の好適な例示的実施形態において、内側コンテナ２は、挿入状態において内側コンテナ支持体８に支持される。
【０１１７】
図４および５から、内側コンテナ支持体８は、挿入状態においてＰＣＭ要素５ならびに外側コンテナ壁３２の上部に配置されていることがわかる。
【０１１８】
図示しないが、内側コンテナ支持体８は、挿入状態において断熱要素４の上部に配置され得る。
【０１１９】
図４および５の断面図から、内側コンテナ支持体８は、少なくとも部分的に階段状の断面を有するとともに、外側コンテナ壁３２を内側で包囲していることが理解される。外側コンテナ壁３２を「包囲していること」は、例えば図２からわかる。
【０１２０】
図示の好適な例示的実施形態において、ＰＣＭ要素５のための位置決め装置９が存在する。本例において、位置決め装置９は、少なくとも実質的に矩形のベースプレートを有する。その形状は、外側コンテナベース３１の形状に少なくとも実質的に対応している。本例において、位置決め装置９は、ベースプレートから突出するとともにベースプレートの外縁部から離間する包囲脚部を更に有している。この脚部は、ＰＣＭ要素５に接触する役割を果たし得る。
【０１２１】
図３は、図示の好適な例示的実施形態における輸送コンテナ１が、輸送コンテナ１を閉鎖するためのカバー６を有することを示す。図示の例示的実施形態におけるカバー６は、システムとして、または種々の構成部品から構成されている。したがって、本例のカバー６は、外側コンテナ３を閉鎖するための外側コンテナカバー３４と、内側コンテナ２を閉鎖するための内側コンテナカバー２４と、を有している。
【０１２２】
図示の好適な例示的実施形態において、カバー６、特に内側コンテナカバー２４は、輸送コンテナ１の閉鎖状態において内側コンテナ支持体８および、内側コンテナ２のカラー２６に当接する。特に、カバー６、最も詳細には内側コンテナカバー２４は、内側コンテナ支持体８に相補的な閉鎖装置６１を有している。閉鎖装置６１は、内側コンテナ支持体８に対応する形状を有している。具体的には、これにより、閉鎖装置６１は、少なくとも部分的に内側コンテナ支持体８に、厳密に適合した態様および／または形状が適合した態様で配置され得る。
【０１２３】
図５に示す好適な実施形態によれば、外側コンテナカバー３４は、少なくとも部分的に外側コンテナ壁３２に当接している。
【０１２４】
図３の分解図において、外側コンテナカバー３４を外側コンテナ壁３２上で閉鎖するための相互に対応する係止手段が設けられ得ることが示されている。係止手段は、特に互いに相補的であるように設計され得る。例えば、少なくとも１つの突起が、外側コンテナ壁３２に設けられ得る。この突起は、外側コンテナカバー３４の対応する開口に係止するように構成されている。輸送コンテナ１の閉鎖状態において、外側コンテナ壁３２の突起として構成された係止手段は、外側コンテナカバー３４の開口として構成された別の係止手段に、少なくとも実質的に形状が適合した態様で係止および／または係合し得る。
【０１２５】
図１から、外側コンテナカバー３４の係止または閉鎖状態が同様にわかる。外側コンテナカバー３４は、少なくとも部分的に形状が適合した態様で外側コンテナ壁３２に接続している。
【０１２６】
更に、図３の分解図から、少なくとも１つの断熱要素４が、図示の好適な例示的実施形態においては真空断熱パネル４が、カバー６に配置されることがわかる。図示の例示的実施形態における真空断熱パネル４は、図４から同様に理解されるように、内側コンテナカバー２４の構成部品である。
【０１２７】
図３に、内側コンテナカバー２４の覆い２４１が、図４および５からも理解されるように真空断熱パネル４を覆うために設けられていることを示す。覆い２４１は、内側コンテナ２４の本体に、固定的に、特に形状が適合した態様で、および／または材料が一体化した態様で接続され得る。更に、覆い２４１は、内側コンテナ２に、具体的にはカラー２６および／または内側コンテナ支持体８に配置されることが想定され得る。図４は、覆い２４１が、少なくとも部分的に内側コンテナ２のカラー２６に当接していることを示す。
【０１２８】
図示しないが、別の実施形態において、カバー６が、断熱要素４、特に真空断熱パネル４である、またはこれを形成することが想定可能である。
【０１２９】
更に図示しないが、カバー６、特に内側コンテナカバー２４は、内側コンテナ２にシールされ得る。
【０１３０】
図示しない別の好適な例示的実施形態において、厳密に１つのカバー６が、外側コンテナ３および内側コンテナ２を閉鎖するように設けられる。本例のこのカバー６は、特に、外側コンテナ３および内側コンテナ２をシールした態様で同時に閉鎖し得る。
【０１３１】
図示しないが別の好適な例示的実施形態において、内側コンテナ２は、内側コンテナスペース２３を２つの別個のチャンバに分割するための取出可能な仕切りを有することが更に想定される。仕切りは、特に、内側コンテナスペース２３に対面する内側コンテナ壁２２の内側に、形状が適合した態様で接続し得る。
【０１３２】
更に図示しないが、別の好適な実施形態における輸送コンテナ１は、外側コンテナ３に挿入可能であるとともに外側コンテナ３から取出可能である更なる内側コンテナを有している。特に、この更なる内側コンテナは、内側コンテナ２とともに外側コンテナ３に挿入され得る。好適には、更なる内側コンテナは、両内側コンテナ２で外側コンテナスペース３３が少なくとも実質的に充填されるように、内側コンテナ２に配置される。
【０１３３】
特に、更なる内側コンテナは、上方に開放する更なる内側コンテナスペースを形成することができる。外側コンテナ壁３２および外側コンテナベース３１に沿った隙間が、更なる内側コンテナと外側コンテナ３との間に設けられ得る、または存在し得る。前記隙間は、特に、内側コンテナ２と外側コンテナ３との間の利用可能な隙間７に潜在的に対応する。
【０１３４】
更に図示しないが、好適には、輸送コンテナ１は、内側コンテナスペース２３内の温度を測定するための測定装置を有している。
【０１３５】
更に図示しないが、貨物１０を輸送するための方法であって、複数の輸送コンテナ１により行われる方法が提供される。本方法は、貨物１０を形成し得る医薬品および／または食品を輸送するために利用され得る。
【０１３６】
本方法で使用される各輸送コンテナ１は、外側コンテナベース３１と外側コンテナ壁３２とを有する外側コンテナ３を有する。外側コンテナ３に挿入可能であるとともに外側コンテナ３から取出可能である内側コンテナ２は、内側コンテナベース２１と内側コンテナ壁２２とを有する。貨物１０用の内側コンテナ２は、上方に開放する内側コンテナスペース２３を形成する。外側コンテナ壁３２および外側コンテナベース３１沿った隙間７が、内側コンテナ２と外側コンテナ３との間に存在する。少なくとも１つの断熱要素４、特に真空断熱パネル４が、内側コンテナ２と外側コンテナ３との間に配置される。更に、特に断熱要素４に隣接し得る少なくとも１つのＰＣＭ要素５が、内側コンテナ２と外側コンテナ３との間に配置される。
【０１３７】
本方法で使用される各輸送コンテナ１が、上述の好適な例示的実施形態に応じて構成されることが特に好適である。
【０１３８】
本方法において、貨物１０は、出発場所において、最初に内側コンテナ２の内側コンテナスペース２３に配置または配設されることが想定される。
【０１３９】
本方法の１つの好適な実施形態において、前記内側コンテナ２は、内側コンテナ２のカバー６、２４で閉鎖される。その後、前記内側コンテナ２は、閉鎖状態において貨物１０とともに搬出場所に輸送される。貨物は、その中で能動的に冷却される。
【０１４０】
前記内側コンテナ２は、搬出場所で外側コンテナ３に挿入される。本例において、少なくとも１つの断熱要素４、特に真空断熱パネル４が、前記内側コンテナ２と前記外側コンテナ３との間に配置される。更に、少なくとも１つのＰＣＭ要素５が、前記内側コンテナ２と前記外側コンテナ３との間に配置される。前記内側コンテナ２と、前記外側コンテナ３と、貨物１０と、でこのように形成された輸送コンテナ１は、その後、中継地に輸送される。
【０１４１】
貨物１０を含む前記内側コンテナ２は、中継地で前記外側コンテナ３から取り出される。貨物１０を含む前記内側コンテナ２は、その後別の外側コンテナ３に挿入される。少なくとも１つの断熱要素４、特に真空断熱パネル４が、前記内側コンテナ２と前記別の外側コンテナ３との間に配置される。更に、本例において、少なくとも１つのＰＣＭ要素５が、前記内側コンテナ２と前記別の外側コンテナ３との間に配置される。前記内側コンテナ２と、前記別の外側コンテナ３と、貨物１０と、でこのように形成された輸送コンテナ１は、その後、目的地に輸送される。
【０１４２】
本方法において複数の輸送コンテナ１が利用されるため、複数の外側コンテナ３が本方法において基本的に使用される。本例において、同一の内側コンテナ２が、異なる外側コンテナ３に配置され得る。貨物１０は、この内側コンテナ２の内側コンテナスペース２３に配置される、または配置されたままである。
【０１４３】
本方法の文脈において、本方法で使用される輸送コンテナ１が、ＰＣＭ要素５の個数および／またはＰＣＭ要素５の相変化材料に関して異なることが更に好適である。特に、貨物１０を、貨物１０の冷却または温度制御に必要な熱特性を有するタイプの輸送コンテナ１に、内側コンテナ２を介して常に配置できるため、貨物１０の温度制御または冷却を、輸送経路および／または輸送段階に応じて実施することができる。
【０１４４】
不図示の方法は、基本的に、内側コンテナおよび外側コンテナのモジュール構造によって、貨物１０を輸送コンテナ１の異なる外側コンテナ３に配置することを可能にする。このため、貨物１０の輸送を周囲環境の温度、経路の段階、および／または輸送経路に個別に適合させることができるという本方法の高度な柔軟性が達成される。
【０１４５】
第１輸送段階において、第１目標温度が貨物１０に対して事前に定義され得るとともに、第２目標温度が第２輸送段階において事前に定義され得る。更に、原則として、両外側コンテナ３または両輸送コンテナ１における両目標温度は、冷却または温度制御が特に比較的長時間に亘って可能となるように、少なくとも実質的に同一であり得る。
【０１４６】
１      輸送コンテナ
２      １の内側コンテナ
２１    内側コンテナベース
２２    内側コンテナ壁
２３    内側コンテナスペース
２４    内側コンテナカバー
２４１  覆い
２５    上縁部
２６    カラー
３      １の外側コンテナ
３１    外側コンテナベース
３２    外側コンテナ壁
３３    外側コンテナスペース
３４    外側コンテナカバー
４      １の断熱要素
５      １のＰＣＭ要素
６      １のカバー
６１    閉鎖装置
７      ２及び３の隙間
８      内側コンテナ支持体
９      位置決め装置
１０    貨物
【図１】
2021535047.tif 000003
【図２】
2021535047.tif 000004
【図３】
2021535047.tif 000005
【図４】
2021535047.tif 000006
【図５】
2021535047.tif 000007
【図６】
2021535047.tif 000008
【国際調査報告】
2021535047.tif 000009
2021535047.tif 000010
2021535047.tif 000011
2021535047.tif 000012
2021535047.tif 000013